(57)【特許請求の範囲】
【請求項１】
移動端末と通信可能であるとともに、相互に通信可能な第１及び第２の基地局を備える無線通信システムであって、
前記第１の基地局から前記第２の基地局への前記移動端末のハンドオーバの際に、前記第１の基地局は、前記第２の基地局と前記移動端末との間の通信に対して前記第１の基地局の通信による与干渉が少ない無線リソースを示す第１リソース情報を通知する第１通知手段を備え、
前記第２の基地局は、前記第２の基地局及び前記移動端末の間の通信に、通知された前記第１リソース情報が示す無線リソースを割り当てる第１割当手段を備え、
前記第１リソース情報は、
前記第１の基地局と前記移動端末との間における通信において用いられない、又は他の無線リソースと比較して用いられる頻度が相対的に低い無線リソース、
前記第１の基地局と前記移動端末との間における通信において用いられる周波数帯域のうち、他の周波数帯域と比較して送信電力が相対的に低く設定される周波数帯域、及び
前記第１の基地局においてアンテナの指向性が相対的に低く設定される無線リソース
の少なくとも一つを示す情報である
ことを特徴とする無線通信システム。
【請求項２】
移動端末と通信可能であるとともに、相互に通信可能な第１及び第２の基地局を備える無線通信システムであって、
前記第１の基地局から前記第２の基地局への前記移動端末のハンドオーバの際に、前記第１の基地局は、前記第２の基地局と前記移動端末との間の通信に対して前記第１の基地局の通信による与干渉が少ない無線リソースを示す第１リソース情報を通知する第１通知手段を備え、
前記第２の基地局は、前記第２の基地局及び前記移動端末の間の通信に、通知された前記第１リソース情報が示す無線リソースを割り当てる第１割当手段を備え、
前記第１割当手段は、前記第２の基地局及び前記移動端末の間の通信であって且つ前記ハンドオーバするために必要な通信に、前記通知された前記第１リソース情報が示す無線リソースを割り当て、
前記第２の基地局は、前記第２の基地局から前記第１の基地局に対して、前記第１の基地局と前記移動端末との間の通信に対して前記第２の基地局の通信による与干渉が少ない無線リソースを示す第２リソース情報を通知する第２通知手段を更に備え、
前記第１の基地局は、前記第１の基地局及び前記移動端末の間の通信に、通知された前記第２リソース情報が示す無線リソースを割り当てる第２割当手段を更に備え、
前記第２リソース情報は、
前記第２の基地局と前記移動端末との間における通信において用いられない、又は他の無線リソースと比較して用いられる頻度が相対的に低い無線リソース、
前記第２の基地局と前記移動端末との間における通信において用いられる周波数帯域のうち、他の周波数帯域と比較して送信電力が相対的に低く設定される周波数帯域、及び
前記第２の基地局においてアンテナの指向性が相対的に低く設定される無線リソース
の少なくとも一つを示す情報である
ことを特徴とする無線通信システム。
【請求項３】
前記第１割当手段は、前記第２の基地局及び前記移動端末の間の通信であって且つ前記ハンドオーバするために必要な通信に、前記通知された前記第１リソース情報が示す無線リソースを割り当てる
ことを特徴とする請求項１に記載の無線通信システム。
【請求項４】
前記第１通知手段は、前記第１の基地局から前記第２の基地局へ前記ハンドオーバを要求する信号に重畳して前記第１リソース情報を送信する
ことを特徴とする請求項３に記載の無線通信システム。
【請求項５】
前記第２の基地局は、前記第２の基地局から前記第１の基地局に対して、前記第１の基地局と前記移動端末との間の通信に対して前記第２の基地局の通信による与干渉が少ない無線リソースを示す第２リソース情報を通知する第２通知手段を更に備え、
前記第１の基地局は、前記第１の基地局及び前記移動端末の間の通信に、通知された前記第２リソース情報が示す無線リソースを割り当てる第２割当手段を更に備える
ことを特徴とする請求項３に記載の無線通信システム。
【請求項６】
前記第２リソース情報は、
前記第２の基地局と前記移動端末との間における通信において用いられない、又は他の無線リソースと比較して用いられる頻度が相対的に低い無線リソース、
前記第２の基地局と前記移動端末との間における通信において用いられる周波数帯域のうち、他の周波数帯域と比較して送信電力が相対的に低く設定される周波数帯域、及び
前記第２の基地局においてアンテナの指向性が相対的に低く設定される無線リソース
の少なくとも一つを示す情報である
ことを特徴とする請求項５に記載の無線通信システム。
【請求項７】
前記第２通知手段は、前記第２の基地局から前記第１の基地局へ前記ハンドオーバを要求する信号に対する応答信号に重畳して前記第２リソース情報を送信する
ことを特徴とする請求項５に記載の無線通信システム。
【請求項８】
前記第１リソース情報には、前記第１の基地局からの干渉に関連する無線リソースを使用可能な有効期限が設定される
ことを特徴とする請求項１又は２に記載の無線通信システム。
【請求項９】
前記第１リソース情報には、前記有効期限を示す情報が付加される
ことを特徴とする請求項８に記載の無線通信システム。
【請求項１０】
移動端末及び他の基地局と通信可能な基地局であって、
当該基地局から前記他の基地局への前記移動端末のハンドオーバの際に、前記他の基地局と前記移動端末との間の通信に対して前記基地局の通信による与干渉が少ない無線リソースを示す情報を通知する通知手段を備え、
前記無線リソースを示す情報は、
前記基地局と前記移動端末との間における通信において用いられない、又は他の無線リソースと比較して用いられる頻度が相対的に低い無線リソース、
前記基地局と前記移動端末との間における通信において用いられる周波数帯域のうち、他の周波数帯域と比較して送信電力が相対的に低く設定される周波数帯域、及び
前記基地局においてアンテナの指向性が相対的に低く設定される無線リソース
の少なくとも一つを示す情報である
ことを特徴とする基地局。
【請求項１１】
相互に通信可能な第１及び第２の基地局と通信を行う移動端末であって、
前記第１の基地局から前記第２の基地局への当該移動端末のハンドオーバの際に、前記第１の基地局より、前記第２の基地局と前記移動端末との間の通信に対して前記第１の基地局の通信による与干渉が少ない無線リソースを示す情報の通知を受ける受信手段と、
通知された前記情報が示す無線リソースを用いて、前記第２の基地局と通信を行う通信手段と
を備え、
前記無線リソースを示す情報は、
前記第１の基地局と前記移動端末との間における通信において用いられない、又は他の無線リソースと比較して用いられる頻度が相対的に低い無線リソース、
前記第１の基地局と前記移動端末との間における通信において用いられる周波数帯域のうち、他の周波数帯域と比較して送信電力が相対的に低く設定される周波数帯域、及び
前記第１の基地局においてアンテナの指向性が相対的に低く設定される無線リソース
の少なくとも一つを示す情報である
ことを特徴とする移動端末。
【請求項１２】
移動端末と通信可能であるとともに、相互に通信可能な第１及び第２の基地局を備える無線通信システムにおける通信制御方法であって、
前記第１の基地局から前記第２の基地局への前記移動端末のハンドオーバの際に、前記第１の基地局から前記第２の基地局に対して、前記第２の基地局と前記移動端末との間の通信に対して前記第１の基地局の通信による与干渉が少ない無線リソースを示す情報を通知する通知工程と、
前記第２の基地局及び前記移動端末の間の通信に、通知された前記情報が示す無線リソースを割り当てる割当工程と
を備え、
前記無線リソースを示す情報は、
前記第１の基地局と前記移動端末との間における通信において用いられない、又は他の無線リソースと比較して用いられる頻度が相対的に低い無線リソース、
前記第１の基地局と前記移動端末との間における通信において用いられる周波数帯域のうち、他の周波数帯域と比較して送信電力が相対的に低く設定される周波数帯域、及び
前記第１の基地局においてアンテナの指向性が相対的に低く設定される無線リソース
の少なくとも一つを示す情報である
ことを特徴とする通信制御方法。
【発明の詳細な説明】
【技術分野】
【０００１】
本発明は、無線通信システム及び該システムを構成する基地局や移動端末、並びに通信制御方法の技術分野に関し、移動端末のハンドオーバ時における基地局間での制御信号の伝送の技術分野に関する。
【背景技術】
【０００２】
セルラ方式の無線通信システムにおいては、携帯電話などの移動端末が、一の基地局のセルから他の基地局のセルへ移動する際には、ハンドオーバにより通信する基地局を切り替えて、通信を継続している。【０００３】
このようなセルラ方式におけるセルの通信性能は、例えば自セル内の干渉、又は他セルからの干渉（Inter-cell interference）などにより制限を受ける。このため、セル間での周波数繰り返し法として、例えば３ＧＰＰ（Third Generation Partnership Project）におけるＬＴＥ(Long Term Evolution)通信技術においては、隣接するセルで同一の周波数を用いる「１セル繰り返し法」が採用されている。１セル繰り返し法によれば、セル当たりの周波数帯域幅が増大するためスループットの向上が見込まれる一方で、他セル干渉が増大し、特にセル端に位置する移動端末へのスループットが劣化する。【０００４】
かかるスループットの劣化を緩和するために、ＬＴＥ通信技術では、セルごとにセル端において移動端末に割り当てる無線リソースの周波数を隣接セルとは異なるものに設定するＦＦＲ（Fractional Frequency Reuse：部分周波数再利用）方式などによるセル間干渉制御技術（ICIC: Inter-cell interference coordination）が用いられる。【０００５】
以下に示す先行技術文献には、上述したＦＦＲ方式のセル間干渉制御技術や、基地局間通信を介してセルから通知される情報に基づいて干渉を抑制させるハンドオーバ手順などが開示されている。
【先行技術文献】
【特許文献】
【０００６】
【特許文献１】特開２００７−２９５３１８号公報
【非特許文献】
【０００７】
【非特許文献１】３ＧＰＰ  ＴＲ２５．９１３
【非特許文献２】３ＧＰＰ  ＴＲ３６．９１３
【非特許文献３】３ＧＰＰ  ＴＳ３６．４２３
【非特許文献４】D. Aziz, R. Sigle, "Improvement of LTE Handover Performance through Interference Coordination," Proc. VTC2009 spring, 2009.
【発明の概要】
【発明が解決しようとする課題】
【０００８】
移動端末のハンドオーバは、ハンドオーバ元及びハンドオーバ先の夫々の基地局のセル境界付近で行われる。このため、ハンドオーバ元の基地局と移動端末との間の通信ではハンドオーバ先の基地局からの干渉を受け易く、ハンドオーバ先の基地局と移動端末との間の通信ではハンドオーバ元の基地局からの干渉を受け易くなる。かかる干渉により、各基地局と移動端末の間の通信での受信品質が低下してしまうため、ハンドオーバに係る制御信号が正しく受信され難くなるという技術的な問題がある。このように制御信号が適切に受信されない場合、ハンドオーバが行えず、移動端末での通信が切断される可能性もある。【０００９】
しかるに、上述したＦＦＲ方式では、一の基地局は、他の基地局とのセル境界近傍に在圏する移動端末との通信に、該他の基地局において送信電力が意図的に低く設定される周波数帯域を割り当てる。このため、セル境界近傍において、最もセル間干渉の影響が強い基地局からの干渉を低減することが出来る。しかしながら、ＦＦＲ方式では、セル端の移動端末に割り当てられる周波数は、予め設定される帯域幅の中で静的又は準静的に設定される。このため、ハンドオーバする移動端末の数に応じては、必要な周波数帯域又はその他の無線リソースを十分に確保出来ず、十分に効果を発揮出来ない可能性がある。【００１０】
本発明は、上述した問題点に鑑み、移動端末のハンドオーバ時に基地局の干渉を低減させ、適切なハンドオーバの実施を可能とする無線通信システム、移動端末及び基地局並びに通信制御方法を提供することを課題とする。
【課題を解決するための手段】
【００１１】
上記課題を解決するために、開示の無線通信システムは、夫々移動端末と通信可能であるとともに、相互に通信可能な第１及び第２の基地局を備える。第１の基地局は、当該第１の基地局から第２の基地局への移動端末のハンドオーバの際に、第２の基地局に対して、第２の基地局と移動端末との間の通信に対する第１の基地局からの干渉に関連する無線リソースを示す第１リソース情報を通知する第１通知手段を備える。第２の基地局は、第２の基地局及び移動端末の間の通信に、通知された第１リソース情報が示す無線リソースを割り当てる第１割当手段を備える。【００１２】
また、上記課題を解決するために、開示の基地局は、上述の無線通信システムにおいて備えられる第１の基地局と同様の構成であって、第１通知手段を備える。【００１３】
また、上記課題を解決するために、開示の移動端末は、上述の第１リソース情報が示す無線リソースを用いて、第１の基地局と通信を行う
また、上記課題を解決するために、開示の通信制御方法は、上述した通信システムにおける通信制御方法である。具体的には、上述の通知手段が実施する処理と同様の処理を行う通知工程とともに、上述した第１割当手段が実施する処理と同様の処理を行う割当工程を備える。
【発明の効果】
【００１４】
上述した移動通信システムの動作によれば、第２の基地局が移動端末と通信を行う場合において、第１の基地局の通知手段より通知される第１リソース情報に基づいて、与干渉の小さい無線リソースを選択して通信を行うことが可能となる。また、通信環境の変化に応じて第１リソース情報が示す無線リソースを適宜変化させれば、動的に変化し得る与干渉の小さい無線リソースを好適に選択して通信を行うことが可能となる。【００１５】
また、第１リソース情報を通知された第２の基地局は、該第１リソース情報が示す無線リソースを用いて通信を行うよう設定することで、比較的簡単かつ迅速に第１の基地局からの干渉を抑制することが出来る。このことは、特に第２の基地局と通信する移動端末が、第１の基地局のセルと第２の基地局のセルとの境界付近に在圏する場合に顕著である。
【図面の簡単な説明】
【００１６】
【図１】無線通信システムの構成例を示す図である。
【図２】基地局の構成を示すブロック図である。
【図３】移動端末の構成を示すブロック図である。
【図４】無線通信システムにおけるハンドオーバ時の処理を示すシーケンス図である。
【発明を実施するための形態】
【００１７】
以下、本発明の実施の形態について、図面を参照して詳細に説明する。
【００１８】
（１）構成例
図１は、開示の無線通信システムの実施形態である、無線通信システム１の構成を示す図である。無線通信システム１は、例えばＬＴＥ（Long Term Evolution）に準拠した無線通信システムであって、移動管理装置（ＭＭＥ：Mobility Management Entity）３０に接続する複数の基地局（以降、ｅＮＢ（evolved Node B）と記載する）１０ａ、１０ｂ、１０ｃを備えて構成される。ｅＮＢ１０ａ、１０ｂ及び１０ｃの夫々は、ＭＭＥ３０とＳ１と呼ばれるインタフェースを介して接続され、またｅＮＢ１０ａ、１０ｂ及び１０ｃの夫々はＸ２と呼ばれるインタフェースを介して相互に接続し、必要な情報の送受信を行う。
【００１９】
無線通信システム１において、移動端末（以降、ＵＥ（User Equipment）と記載する）２０は、在圏するいずれかのｅＮＢ１０との間でデータの送受信を行う。
【００２０】
図２を参照して、ｅＮＢ１０ａ、１０ｂ、１０ｃの構成について説明する。ｅＮＢ１０ａ、１０ｂ、１０ｃは夫々同様の構成であってよく、以降、ｅＮＢ１０ａ、１０ｂ、１０ｃを区別することなく説明する場合にはｅＮＢ１０と言う表記を用いて説明する。
【００２１】
ｅＮＢ１０は、「基地局」の一具体例であって、制御信号を送信することでセルを形成し、該セル内に在圏するＵＥ２０との間で通信を行う。
【００２２】
ｅＮＢ１０は、図２に示されるように、無線送受信部１１、送信データ処理部１２、無線リソース制御部１３、制御部１４及び受信データ処理部１５を備えて構成される。
【００２３】
無線送受信部１１は、アンテナを介して無線ネットワークに接続し、送信データ処理部１２より供給される送信データを含む信号の送信を行うとともに、無線ネットワークより受信した受信データを含む信号を受信データ処理部１５へ供給する。
【００２４】
送信データ処理部１２は、制御部１４などの動作により供給される送信データを符号化及び変調を行った上で、パイロット信号やその他の報知情報などと多重化を行った上で無線送受信部１１へ供給する。本実施形態のｅＮＢ１０では特に、送信データ処理部１２は、後述するようにハンドオーバ時の制御信号に対して与干渉に関連する無線リソース情報を多重して送信データを生成する。与干渉に関連する無線リソース情報とは、当該ｅＮＢ１０から送信される電波により、他のｅＮＢ１０とＵＥ２０との通信に影響を与える干渉に関連する情報であり、かかる干渉を増大又は低減可能な無線リソースを示す趣旨である。具体的にはｅＮＢ１０ａから送信される、ｅＮＢ１０ｂとＵＥ２０との通信に対する与干渉に関連する無線リソース情報は、ｅＮＢ１０ｂとＵＥ２０との通信に適用されることでｅＮＢ１０ａからの与干渉を低減可能な無線リソースを示す情報であってよい。
【００２５】
無線リソース制御部１３は、ｅＮＢ１０に在圏するＵＥ２０に対して、特にハンドオーバ時や協調通信時などに通信用の無線リソースの割り当てを行う。また、無線リソース制御部１３は、後述するように他のｅＮＢ１０から通知される与干渉に関連する無線リソース情報を用いて、特にハンドオーバ処理においてＵＥ２０との間の通信用の無線リソースの割り当てを行う。このため無線リソース制御部１３は、不図示のインタフェースを介して、他のｅＮＢ１０との間で制御信号の送受信が可能な態様であってもよい。
【００２６】
制御部１４は、ｅＮＢ１０の各部の動作を制御する制御信号の生成を行うと共に、送信データ処理部１２及び無線送受信部１１を介して送信する信号の生成を行う。また、制御部１４は、無線送受信部１１において送信される送信データを含む信号の送信電力を設定する。本実施形態のｅＮＢ１０では特に、制御部１４は、周囲のｅＮＢ１０と共同して用いる周波数帯域を決定するとともに、特に当該ｅＮＢ１０のセル端に在圏するＵＥ２０に対して、設定される一部の周波数帯域をＲＰＢ（Reduced Power Band）として、送信電力を相対的に小さく設定する。
【００２７】
ここに、ＲＰＢとは、例えばＦＦＲ方式のＩＣＩＣにおいて採用される概念であって、ネットワーク内の各ｅＮＢにおいて他のｅＮＢの通信エリア（言い換えれば、セル）への干渉を低減するために、送信電力の出力が予め低く設定される周波数帯域を示す趣旨である。ＦＦＲ方式を採用する各ｅＮＢは、使用可能な周波数帯域を幾つかに分割し、分割された周波数帯域のうち、少なくとも一つの帯域をＲＰＢとして他の周波数帯域と比較して送信電力を小さく設定する。
【００２８】
一のｅＮＢ１０が、隣接する他のｅＮＢ１０のＲＰＢである周波数帯域を、該他のｅＮＢ１０とのセル境界近傍に在圏するＵＥ２０との通信に割り当てる場合、該他のｅＮＢ１０からの干渉の要因となる送信電波は送信電力が低いため、干渉の影響が抑制される。
【００２９】
尚、制御部１４は、ＦＦＲ方式のように必ずしも予め設定される周波数帯域をＲＰＢとして静的又は準静的に決定する必要はなく、他の隣接する他のｅＮＢ１０とのネゴシエーションによって動的にＲＰＢとする周波数帯域を決定してもよい。
【００３０】
また、制御部１４は、ＵＥ２０より供給されるｅＮＢ１０からの信号送信電力に基づいて、他のｅＮＢ１０へのハンドオーバが必要であるかの判断を行う。ハンドオーバが必要であると判断される場合、制御部１４は、ハンドオーバ先となる他のｅＮＢ１０との間で送受信する制御信号の生成を行う。
【００３１】
受信データ処理部１５は、無線送受信部１１より供給される受信データを含む信号に対して、復調及び復号化などの処理を施し、受信データを取得する。また、本実施形態のｅＮＢ１０では特に、取得した受信データに他のｅＮＢ１０より送信される与干渉に関連する無線リソース情報が含まれる場合、受信データ処理部１５は、無線リソース制御部１３に対して該情報を通知する。
【００３２】
続いて、図３を参照して、ＵＥ２０の構成について説明する。ＵＥ２０は、本実施形態における「移動端末」の一具体例であって、ｅＮＢ１０のセル内に在圏し、該ｅＮＢ１０との間で通信を行う。
【００３３】
ＵＥ２０は、図３に示されるように、無線送受信部２１、受信データ処理部２２、無線リソース制御部２３、制御部２４及び送信データ処理部２５を備えて構成される。
【００３４】
無線送受信部２１は、アンテナを介して無線通信ネットワークに接続し、接続するｅＮＢ１０との間で無線信号の送受信を行う。このとき無線送受信部２１は、送信データ処理部２５より供給される送信データを含む信号の送信を行うとともに、無線ネットワークより受信した受信データを含む信号を受信データ処理部２２へ供給する。
【００３５】
受信データ処理部２２は、無線送受信部２１より供給された受信データを含む信号を復調及び復号化して受信データを取得する。また、受信データ処理部２２は、ｅＮＢ１０より送信される信号の送信電力を測定し、測定結果を示す制御情報を制御部２４へと供給する。
【００３６】
無線リソース制御部２３は、受信データ処理部２２において処理される受信データを含む信号に基づいて、ｅＮＢ１０より割り当てられる無線リソースを用いて通信を行うよう制御する。
【００３７】
制御部２４は、各部の動作を制御する制御信号の生成を行うと共に、送信データ処理部２２及び無線送受信部２１を介して送信する信号の生成を行う。例えば、制御部２４は、ＵＥ２０を特定する固有制御情報を送信データに含めるよう、送信データ処理部２５へ供給する。また、制御部２４は、受信データ処理部２２より供給されるｅＮＢ１０からの信号の送信電力を固有制御情報に含めて、送信データ処理部２５へ供給する。
【００３８】
送信データ処理部２５は、制御部２４などの動作により供給される送信データを符号化及び変調を行った上で、パイロット信号やその他の報知情報などと多重化を行った上で無線送受信部２１へ供給する。
【００３９】
（２）動作例
無線通信システム１におけるＵＥ２０のハンドオーバ時の一連の処理について、図４のシーケンス図を参照して説明する。図４のシーケンス図では、図１に示されるように、ＵＥ２０がｅＮＢ１０ａのセルからｅＮＢ１０ｂのセルへとハンドオーバする際の処理が記述されている。
【００４０】
先ず、ｅＮＢ１０ａと通信状態にあるＵＥ２０は、常時ｅＮＢ１０ａに対して例えばＲＳＲＰ（Reference Signal Received Power）など、ｅＮＢ１０ａ及びｅＮＢ１０ｂから受信する信号の受信電力を測定して送信している。
【００４１】
ｅＮＢ１０ａは、ＵＥ２０から通知されたｅＮＢ１０ａからの信号受信電力の計測情報が閾値を越えて低くなり、他方で他のｅＮＢ１０ｂからの信号受信電力が十分高い場合、該ｅＮＢ１０ａからｅＮＢ１０ｂへのハンドオーバの実施を判断する。
【００４２】
ここでｅＮＢ１０ａは、ハンドオーバ先となるｅＮＢ１０ｂに対して、ハンドオーバを要求する制御信号とともに、ｅＮＢ１０ａからｅＮＢ１０ｂとＵＥ２０との通信への与干渉に関連する下りリンクの無線リソース情報を多重して送信する。本動作例では、かかる無線リソース情報として、ｅＮＢ１０ａにおいて設定されるＲＰＢの周波数帯域を示す情報（以降、ｅＮＢ１０ａのＲＰＢと記載）が用いられる。
【００４３】
ハンドオーバ要求を受けたｅＮＢ１０ｂは、ハンドオーバの受け入れが可能である場合、ｅＮＢ１０ａに対して、ハンドオーバ受け入れ可能であることを示す制御信号とともに、ｅＮＢ１０ｂからｅＮＢ１０ｂとＵＥ２０との通信への与干渉に関連する下りリンクの無線リソース情報を多重して送信する。本動作例では、かかる無線リソース情報として、ｅＮＢ１０ｂにおいて設定されるＲＰＢの周波数帯域を示す情報（以降、ｅＮＢ１０ｂのＲＰＢと記載）が用いられる。
【００４４】
ハンドオーバの受け入れ応答を受けたｅＮＢ１０ａは、以降のハンドオーバ処理におけるＵＥ２０との通信に用いる周波数帯域を、該応答信号に多重されるｅＮＢ１０ｂのＲＰＢに設定する。また、ｅＮＢ１０ｂは、以降のハンドオーバ処理におけるＵＥ２０との通信に用いる周波数帯域を、ハンドオーバ要求信号に多重されるｅＮＢ１０ａのＲＰＢに設定する。
【００４５】
続いて、ｅＮＢ１０ａは、ＵＥ２０に対して、ハンドオーバのための無線リソースの再設定を指示するメッセージを通知する。該通知は、具体的には、「ＲＲＣ  Ｒｅｃｏｎｆｉｇｕｒａｔｉｏｎ」などのメッセージ要素を用いて行われる。このとき、ｅＮＢ１０ａは、該通知のための信号とともに、ｅＮＢ１０ｂのＲＰＢを多重して送信する。尚、該信号の送信には、上述したように設定される、ｅＮＢ１０ｂにおけるＲＰＢを用いて行われる。
【００４６】
かかる信号を受けたＵＥ２０は、ハンドオーバ先のｅＮＢ１０ｂに対してランダムアクセス処理を実行し、ｅＮＢ１０ａのＲＰＢを用いて送信される上りリンク同期許可を受け、ｅＮＢ１０ｂに対する上りリンク及び下りリンクの同期の確立を行う。
【００４７】
また、ＵＥ２０は、無線リソースの再設定が完了したことを通知するための無線リソース情報を取得する。具体的には、ＵＥ２０は、ｅＮＢ１０ｂに対する通知のための無線リソース情報として、ｅＮＢ１０ａより送信されるｅＮＢ１０ａのＲＰＢを取得する。
【００４８】
そして、ＵＥ２０は、ｅＮＢ１０ｂに対して、無線リソースの再設定が完了したことを通知する。該通知の具体的なメッセージ要素では、例えば「ＲＲＣ  Ｒｅｃｏｎｆｉｇｕｒａｔｉｏｎ  Ｃｏｍｐｌｅｔｅ」が用いられる。尚、この通知は、上述したように設定される、ｅＮＢ１０ａにおけるＲＰＢを用いて行われる。以上の手順により、ＵＥ２０は、ｅＮＢ１０ａからｅＮＢ１０ｂへのハンドオーバ処理を行う。
【００４９】
（３）効果の説明
従来のＦＦＲ方式において、ハンドオーバする移動端末に応じてＲＰＢの再設定を行う構成も考えられる。しかしながら、ＦＦＲ方式においては隣接する基地局間全てでの使用周波数帯域の調整が必要となるため、最終的にＲＰＢが収束するまで多くの処理時間を要する。このため、通信システム側には予期出来ないイベントであるハンドオーバ時においては、処理が間に合わず通信が切断してしまう虞もある。
【００５０】
しかるに、上述した無線通信システム１の動作によれば、ｅＮＢ１０ａからｅＮＢ１０ｂに対してハンドオーバが必要であると判断される場合、ｅＮＢ１０ａは、ｅＮＢ１０ｂに対して送信する、ハンドオーバを要求する制御信号に多重して、ｅＮＢ１０ａにおけるＲＰＢを通知する。他方で、ｅＮＢ１０ｂは、ｅＮＢ１０ａに対して送信するハンドオーバ受け入れ可能であることを示す応答信号に多重して、ｅＮＢ１０ｂにおけるＲＰＢを通知する。このため、ｅＮＢ１０ａは、ｅＮＢ１０ｂにおけるＲＰＢを割り当ててＵＥ２０にハンドオーバ指示のための無線リソースの再設定を指示する信号をＵＥ２０に送信することが出来、ハンドオーバ先のｅＮＢ１０ｂからの干渉を好適に抑制出来る。ｅＮＢ１０ａからｅＮＢ１０ｂへのハンドオーバ時のＵＥ２０は、基本的にｅＮＢ１０ａ及びｅＮＢ１０ｂのセル境界近傍に存在しているため、ｅＮＢ１０ａの周囲の基地局の中でｅＮＢ１０ｂは最も強い干渉を及ぼす基地局の一つであると考えられる。このため、上述のようにｅＮＢ１０ｂからの干渉を低減させることで、ｅＮＢ１０ａから送信される無線リソースの再設定を指示する信号がＵＥ２０において適切に受信される可能性が大幅に高まる。
【００５１】
同様に、ランダムアクセス処理におけるＵＥ２０とｅＮＢ１０ｂとの間での通信では、ｅＮＢ１０ａから通知されるｅＮＢ１０ａにおけるＲＰＢを割り当てて実施することが可能となる。このとき、ＵＥ２０とｅＮＢ１０ｂとの間での通信に対しては、周囲の基地局の中でｅＮＢ１０ａが最も強い干渉を及ぼす基地局の一つであると考えられる。このため、上述のようにｅＮＢ１０ａからの干渉を低減させることで、適切な上下リンクの確立が可能となる。
【００５２】
従って、ｅＮＢ１０ａ及びｅＮＢ１０ｂは、ハンドオーバ時に適切に相互に干渉を抑制可能となり、ＵＥ２０のｅＮＢ１０ａからｅＮＢ１０ｂへのハンドオーバの成功率を好適に上昇させることが可能となる。
【００５３】
また、従来のＦＦＲ方式においては、隣接基地局との干渉を低減させるために各基地局において静的にＲＰＢが決定されている。このため、基地局のセル端付近の移動端末に割り当て可能な周波数帯域が限定されている。更に、利用可能な周波数帯域は隣接基地局数に応じて減少するため、基地局の設置条件によっては、セル端でのスループットの低下が顕著となり、周波数帯域などの無線リソースが不足する可能性もある。特に、電車による移動など、多数のＵＥ２０が同時にハンドオーバする場合などには、割り当て周波数帯域が不足し、ハンドオーバが実現出来ない可能性もある。
【００５４】
上述した無線通信システム１の動作によれば、ＵＥ２０にハンドオーバの必要が生じた場合に、ｅＮＢ１０ａは、ＵＥ２０に対するハンドオーバ手順において、ｅＮＢ１０ｂから通知される干渉が少ないＲＰＢなどの無線リソースを選択的且つ一時的に割り当てる制御を行っている。同様に、ｅＮＢ１０ｂは、ＵＥ２０に対するハンドオーバ手順において、ｅＮＢ１０ａから通知される干渉が少ないＲＰＢなどの無線リソースを選択的且つ一時的に割り当てる制御を行っている。このため、有限である無線リソースを効率的に用いてハンドオーバ制御を実現することが出来る。尚、ｅＮＢ１０ａ及びｅＮＢ１０ｂの間の無線リソース情報の通知は、本来のハンドオーバ手順で用いられる制御信号に多重して行われるため、トラフィックの増加を生じることなく、上述の効果を享受出来る。
【００５５】
尚、本実施形態の変形例として、ｅＮＢ１０ａ及びｅＮＢ１０ｂは、ＲＰＢの代わりに、ＵＥ２０への与干渉に関連し、好適には与干渉を低減可能な他の無線リソース情報を採用してもよい。例えば、ｅＮＢ１０ａ及びｅＮＢ１０ｂが、適応的に指向性の信号電波を送信する機能、又は可変指向性機能を備える場合、該指向性に基づく与干渉を低減可能な無線リソースを送信してもよい。
【００５６】
また、本実施形態の変形例として、ｅＮＢ１０ａ及びｅＮＢ１０ｂにおいて送信されるＵＥ２０への与干渉に関連する無線リソース情報に有効期間が設定される構成であってもよい。該構成によれば、例えばｅＮＢ１０ａより通知されるｅＮＢ１０ａのＲＰＢについて、ｅＮＢ１０ｂにおいて使用可能な有効期限が設定される。このときの有効期限は、例えばハンドオーバ手順のための一連の処理に要する期間である数１０マイクロ秒程度に設定される。このように設定することで、ｅＮＢ１０ｂでは、ＵＥ２０のハンドオーバ手順を実施する間のみ一時的にｅＮＢ１０ａからの与干渉を低減可能な無線リソースを用いるという制御を比較的簡単に実現出来る。尚、ｅＮＢ１０ａ及びｅＮＢ１０ｂは、ＲＰＢなどの無線リソース情報に該無線リソース情報の有効期間を付記して送信し、該無線リソース情報を受信した側が有効期間に基づく処理を行ってもよい。
【００５７】
本発明は、上述した実施例に限られるものではなく、請求の範囲及び明細書全体から読み取れる発明の要旨或いは思想に反しない範囲で適宜変更可能であり、そのような変更を伴なう無線通信システム、移動端末、基地局及び通信制御方法などもまた本発明の技術的範囲に含まれるものである。
【符号の説明】
【００５８】
１  無線通信システム、
１０  基地局（ｅＮＢ）、
１１  無線送受信部（ｅＮＢ側）、
１２  送信データ処理部（ｅＮＢ側）、
１３  無線リソース制御部（ｅＮＢ側）、
１４  制御部（ｅＮＢ側）、
１５  受信データ処理部（ｅＮＢ側）、
２０  移動端末（ＵＥ）、
２１  無線送受信部（ＵＥ側）、
２２  受信データ処理部（ＵＥ側）、
２３  無線リソース制御部（ＵＥ側）、
２４  制御部（ＵＥ側）、
２５  送信データ処理部（ＵＥ側）。
【図１】
0005527399.tif 000002
【図２】
0005527399.tif 000003
【図３】
0005527399.tif 000004
【図４】
0005527399.tif 000005